(57)【要約】      （修正有）【課題】財布の飾り図柄の効果がより良く、制作効率もより高い設備を提供する。【解決手段】本発明は財布表面処理設備を開示し、装置箱体１００を含み、それによりモーターを始動し、モーターが溝車を間欠的に回転連動させ、溝車が間欠的に回転して伝送ローラー２３を間欠的に回転連動させ、伝送ローラーが間欠的に回転して伝送ベルト１０７を連動させて伝送ベルトにおける財布を伝送させ、ばり取り機構によってプレスされた財布に生じたばりを消し、プレス機構８２によって財布の図柄を押し、異なった材料に対応でき、浮き出し印を加熱し、押す効果を保証し、押す効果を高め、財布の使用感と美観の程度を上げる。【選択図】図１
2020172099.tif 000002
【特許請求の範囲】
【請求項１】
財布表面処理設備であって、装置箱体を含み、前記装置箱体の中には伝送チャンバが設置され、前記伝送チャンバの中には財布を伝送できる伝送機構が設置され、前記伝送機構は前記伝送チャンバの中に設置された伝送ローラーを含み、前記作動チャンバの底壁にはプレスとばり取りを行う作業台が固定的に取り付けられ、前記伝送チャンバの後側には溝車チャンバと主伝動チャンバとが設置され、伝送機構の上側にはばり取り機構が設置され、前記ばり取り機構は回転盤を含み、前記回転盤の底部端面にはばりを消すばりブラシが固定的に取り付けられ、前記回転盤の外側には第一定位スリーブがスライドできるように取り付けられ、前記ばり取り機構シリンダーの右側にはプレス機構が設置され、前記プレス機構はプレススライド軸とプレス伝動チャンバとを含み、前記プレススライド軸の底部端面にはダイスと鋼製ダイスとが固定的に取り付けられ、ダイスの外側には第二定位スリーブがスライドできるように取り付けられ、前記プレス機構は前記プレス伝動チャンバの頂壁の中に固定的に装着された加圧できるシリンダーを含み、前記シリンダーの下側のピストンプッシュロッドが加圧ブロックと固定的に連結され、加圧ブロックの左側にはシリンダーの運動を検測する検測器が固定的に設置されていることを特徴とする財布表面処理設備。
【請求項２】
前記伝送機構はモーターを含み、前記モーターが前記主伝動チャンバの後側の内壁の中に固定的に取り付けられ、前記溝車チャンバが前記主伝動チャンバの左側の内壁の中に設置され、前記モーターの前側出力軸の前側端面にはモーター軸が固定的に連結され、前記モーター軸には回し輪が固定的に取り付けられ、前記モーター軸において前記回し輪の前側には駆動傘歯車が固定的に取り付けられ、前記伝送チャンバと前記溝車チャンバとの間には溝車軸が回転できるように取付けられ、前記溝車軸には溝車が固定的に取り付けられ、前記回し輪が前記溝車を間欠的に回転連動させ、前記伝送ローラーが前記溝車軸に固定的に取り付けられ、前記伝送チャンバの前後の内壁の間には補助輪軸が回転できるように取り付けられ、前記補助輪軸には補助輪が固定的に取り付けられ、前記補助輪と前記伝送ローラーとの間には伝送ベルトが伝動できるように取り付けられ、それによりモーターを始動し、モーターが溝車を間欠的に回転連動させ、溝車が間欠的に回転して伝送ローラーを間欠的に回転連動させ、伝送ローラーが間欠的に回転して伝送ベルトを連動させて伝送ベルトにおける財布を伝送させることを特徴とする請求項１に記載の財布表面処理設備。
【請求項３】
前記ばり取り機構は前記主伝動チャンバに設置されたばり取りチャンバを含み、前記ばり取りチャンバの上側には歯車チャンバが設置され、前記主伝動チャンバの頂壁と前記歯車チャンバの底壁との間には第一伝動軸が回転できるように取り付けられ、前記第一伝動軸の底部の端面には伝動傘歯車が固定的に取り付けられ、前記伝動傘歯車と前記駆動傘歯車とが噛合しており、前記第一伝動軸の頂部端面にはプレス駆動歯車が固定的に取り付けられ、前記第一伝動軸には長柱形歯車が固定的に取り付けられ、前記ばり取りチャンバと前記伝送チャンバとの間には回転盤軸がスライドできるように取り付けられ、前記回転盤軸の頂部端面にはスライド歯車が固定的に取り付けられ、前記スライド歯車と前記長柱形歯車とが噛合しており、前記ばり取りチャンバの下側には送り込みチャンバが設置され、前記回転盤軸において前記送り込みチャンバの中には送り込み棒が回転できるように取り付けられ、前記第一定位スリーブが前記回転盤軸とスライドできるように取り付けられ、スリーブそれにより駆動傘歯車が回転して回転盤とばりブラシを回転連動させ、送り込み棒が回転盤軸を下にスライド連動させ、第一定位スリーブが下に財布を定位し、回転盤とばりブラシがばりを取り除くことを特徴とする請求項１に記載の財布表面処理設備。
【請求項４】
前記プレス機構は前記歯車チャンバの右側に設置された離合チャンバを含み、前記歯車チャンバの左右の内壁の間には前記離合チャンバの左側の内壁を貫通した第二伝動軸が回転できるように取り付けられ、前記第二伝動軸にはプレス伝動歯車が固定的に取付けられ、前記プレス伝動歯車と前記プレス駆動歯車とが噛合しており、前記第一伝動軸の右側端面には第一離合が固定的に取り付けられ、前記離合チャンバの右側にははずみ車伝動チャンバが設置され、前記離合チャンバの右側の内壁と前記はずみ車伝動チャンバの左側の内壁との間にははずみ車軸が回転できるように取り付けられ、前記はずみ車軸の左側端面には第二離合が固定的に取り付けられ、前記第二離合と前記第一離合とが噛合でき、前記はずみ車軸の右側端面にははずみ車が固定的に取り付けられ、前記はずみ車伝動チャンバの前側の内壁には前記はずみ車伝動チャンバと連通し合ったプレス伝動チャンバが設置され、前記はずみ車伝動チャンバの底壁と前記送り込みチャンバとが連通し合っており、前記プレススライド軸には撥条位置制限ブロックが固定的に取り付けられ、前記撥条位置制限ブロックの底部端面と前記プレス伝動チャンバの底壁との間にはスライド軸復帰撥条が固定的に取り付けられ、前記鋼製ダイスが前記ダイスの底部端面に固定的に取り付けられ、前記第二定位スリーブが前記プレススライド軸とスライドできるように取付けられ、前記第二定位スリーブの中には撥条チャンバが設置され、前記ダイズの頂部端面と前記第二定位スリーブの頂壁との間には復帰撥条が固定的に取り付けられ、前記伝送チャンバの頂壁には加熱器が固定的に取り付けられ、前記プレススライド軸にはスライダ溝が設置され、前記スライダ溝の中にはプレススライダがスライドできるように取り付けられ、前記プレススライダにはプレス連結棒がヒンジで取り付けられ、前記プレス連結棒と前記はずみ車とがヒンジで取り付けられ、前記検測器が前記プレス伝動チャンバの頂部端面に固定的に取り付けられ、それによりプレスを行う時、プレス駆動歯車が回転してはずみ車を回転連動させ、はずみ車が回転してダイスと鋼製ダイスとを上下に運動連動させてプレスを行い、加熱器が浮き出し印を加熱し、プレスをより簡単に行い、圧力が足りない時、シリンダーを始動し、シリンダーが加圧ブロックを押してプレススライド軸に圧力を与えることを特徴とする請求項１に記載の財布表面処理設備。
【発明の詳細な説明】
【技術分野】
【０００１】
本発明は日常用品の分野を取り上げて、具体的には財布表面処理設備である。
【背景技術】
【０００２】
現在、財布は生活の一部になり、携帯式の物品として、財布は一般的にバンクカード又は現金などの物品を置き、財布はまた飾り物として使え、たくさんの財布には飾り用の図柄が印刷され、この飾りの図柄は印刷する時浮き出し印を使って手動で押し、そのプレス効果が悪く、制作効率が低く、財布の表面がプレス後毛が生じ、この毛は財布の外観には直接な影響があり、財布の手応えにも一定な影響があり、そのため財布の飾り図柄の効果がより良く、制作効率もより高い設備が需要であり、それに押した後財布の表面の毛を消し、財布の使用感覚を良化させる。
【先行技術文献】
【特許文献】
【０００３】
【特許文献１】中国特許出願公開第108001053号明細書
【発明の概要】
【発明が解決しようとする課題】
【０００４】
本発明の目的は財布表面処理設備を提供し、現有の技術の上記欠点を克服できる。
【課題を解決するための手段】
【０００５】
本発明の財布表面処理設備は、装置箱体を含み、前記装置箱体の中には伝送チャンバが設置され、前記伝送チャンバの中には財布を伝送できる伝送機構が設置され、前記伝送機構は前記伝送チャンバの中に設置された伝送ローラーを含み、前記作動チャンバの底壁にはプレスとばり取りを行う作業台が固定的に取り付けられ、前記伝送チャンバの後側には溝車チャンバと主伝動チャンバとが設置され、伝送機構の上側にはばり取り機構が設置され、前記ばり取り機構は回転盤を含み、前記回転盤の底部端面にはばりを消すばりブラシが固定的に取り付けられ、前記回転盤の外側には第一定位スリーブがスライドできるように取り付けられ、前記ばり取り機構シリンダーの右側にはプレス機構が設置され、前記プレス機構はプレススライド軸とプレス伝動チャンバとを含み、前記プレススライド軸の底部端面にはダイスと鋼製ダイスとが固定的に取り付けられ、ダイスの外側には第二定位スリーブがスライドできるように取り付けられ、前記プレス機構は前記プレス伝動チャンバの頂壁の中に固定的に装着された加圧できるシリンダーを含み、前記シリンダーの下側のピストンプッシュロッドが加圧ブロックと固定的に連結され、加圧ブロックの左側にはシリンダーの運動を検測する検測器が固定的に設置されている。
【０００６】
更なる技術方案、前記伝送機構はモーターを含み、前記モーターが前記主伝動チャンバの後側の内壁の中に固定的に取り付けられ、前記溝車チャンバが前記主伝動チャンバの左側の内壁の中に設置され、前記モーターの前側出力軸の前側端面にはモーター軸が固定的に連結され、前記モーター軸には回し輪が固定的に取り付けられ、前記モーター軸において前記回し輪の前側には駆動傘歯車が固定的に取り付けられ、前記伝送チャンバと前記溝車チャンバとの間には溝車軸が回転できるように取付けられ、前記溝車軸には溝車が固定的に取り付けられ、前記回し輪が前記溝車を間欠的に回転連動させ、前記伝送ローラーが前記溝車軸に固定的に取り付けられ、前記伝送チャンバの前後の内壁の間には補助輪軸が回転できるように取り付けられ、前記補助輪軸には補助輪が固定的に取り付けられ、前記補助輪と前記伝送ローラーとの間には伝送ベルトが伝動できるように取り付けられている。
【０００７】
更なる技術方案、前記ばり取り機構は前記主伝動チャンバに設置されたばり取りチャンバを含み、前記ばり取りチャンバの上側には歯車チャンバが設置され、前記主伝動チャンバの頂壁と前記歯車チャンバの底壁との間には第一伝動軸が回転できるように取り付けられ、前記第一伝動軸の底部の端面には伝動傘歯車が固定的に取り付けられ、前記伝動傘歯車と前記駆動傘歯車とが噛合しており、前記第一伝動軸の頂部端面にはプレス駆動歯車が固定的に取り付けられ、前記第一伝動軸には長柱形歯車が固定的に取り付けられ、前記ばり取りチャンバと前記伝送チャンバとの間には回転盤軸がスライドできるように取り付けられ、前記回転盤軸の頂部端面にはスライド歯車が固定的に取り付けられ、前記スライド歯車と前記長柱形歯車とが噛合しており、前記ばり取りチャンバの下側には送り込みチャンバが設置され、前記回転盤軸において前記送り込みチャンバの中には送り込み棒が回転できるように取り付けられ、前記第一定位スリーブが前記回転盤軸とスライドできるように取り付けられている。
【０００８】
更なる技術方案、前記プレス機構は前記歯車チャンバの右側に設置された離合チャンバを含み、前記歯車チャンバの左右の内壁の間には前記離合チャンバの左側の内壁を貫通した第二伝動軸が回転できるように取り付けられ、前記第二伝動軸にはプレス伝動歯車が固定的に取付けられ、前記プレス伝動歯車と前記プレス駆動歯車とが噛合しており、前記第一伝動軸の右側端面には第一離合が固定的に取り付けられ、前記離合チャンバの右側にははずみ車伝動チャンバが設置され、前記離合チャンバの右側の内壁と前記はずみ車伝動チャンバの左側の内壁との間にははずみ車軸が回転できるように取り付けられ、前記はずみ車軸の左側端面には第二離合が固定的に取り付けられ、前記第二離合と前記第一離合とが噛合でき、前記はずみ車軸の右側端面にははずみ車が固定的に取り付けられ、前記はずみ車伝動チャンバの前側の内壁には前記はずみ車伝動チャンバと連通し合ったプレス伝動チャンバが設置され、前記はずみ車伝動チャンバの底壁と前記送り込みチャンバとが連通し合っており、前記プレススライド軸には撥条位置制限ブロックが固定的に取り付けられ、前記撥条位置制限ブロックの底部端面と前記プレス伝動チャンバの底壁との間にはスライド軸復帰撥条が固定的に取り付けられ、前記鋼製ダイスが前記ダイスの底部端面に固定的に取り付けられ、前記第二定位スリーブが前記プレススライド軸とスライドできるように取付けられ、前記第二定位スリーブの中には撥条チャンバが設置され、前記ダイズの頂部端面と前記第二定位スリーブの頂壁との間には復帰撥条が固定的に取り付けられ、前記伝送チャンバの頂壁には加熱器が固定的に取り付けられ、前記プレススライド軸にはスライダ溝が設置され、前記スライダ溝の中にはプレススライダがスライドできるように取り付けられ、前記プレススライダにはプレス連結棒がヒンジで取り付けられ、前記プレス連結棒と前記はずみ車とがヒンジで取り付けられ、前記検測器が前記プレス伝動チャンバの頂部端面に固定的に取り付けられている。
【発明の効果】
【０００９】
本発明の有益な効果は下記の通りである：
【００１０】
財布を作動区間に送り込んで加工し、ばり取り機構によってプレスされた財布に生じたばりを消し、プレス機構によって財布の図柄を押し、異なった材料に対応でき、浮き出し印を加熱し、押す効果を保証し、押す効果を高め、財布の使用感と美観の程度を上げ、普及する価値がある。
【図面の簡単な説明】
【００１１】
【図１】図１は本発明の全体構造模式図
【図２】図２は図１のＡ−Ａの方向の断面構造模式図
【図３】図３は図１のＢ−Ｂの方向の断面構造模式図
【図４】図４は図２のＣ−Ｃの方向の断面構造模式図
【発明を実施するための形態】
【００１２】
以下は図１−４について本発明にを詳しく説明し、その中、便利に叙述するように、後文に出る方位を下記の通りに規定する：後文に出る上下左右前後方向は図１本体の投影関係の上下左右前後方向と一致する。
【００１３】
図１−４を参考して、本発明の財布表面処理設備は、装置箱体１００を含み、前記装置箱体１００の中には伝送チャンバ１０１が設置され、前記伝送チャンバ１０１の中には財布を伝送できる伝送機構８０が設置され、前記伝送機構８０は前記伝送チャンバ１０１の中に設置された伝送ローラー２３を含み、前記作動チャンバ１０１の底壁にはプレスとばり取りを行う作業台１０３が固定的に取り付けられ、前記伝送チャンバ１０１の後側には溝車チャンバ５９と主伝動チャンバ４８とが設置され、伝送機構８０の上側にはばり取り機構８１が設置され、前記ばり取り機構８１は回転盤１９を含み、前記回転盤１９の底部端面にはばりを消すばりブラシ２１が固定的に取り付けられ、前記回転盤１９の外側には第一定位スリーブ２０がスライドできるように取り付けられ、前記ばり取り機構シリンダー８１の右側にはプレス機構８２が設置され、前記プレス機構８２はプレススライド軸３１とプレス伝動チャンバ２６とを含み、前記プレススライド軸３１の底部端面にはダイス１２と鋼製ダイス１３とが固定的に取り付けられ、ダイス１２の外側には第二定位スリーブ１０９がスライドできるように取り付けられ、前記プレス機構８２は前記プレス伝動チャンバ２６の頂壁の中に固定的に装着された加圧できるシリンダー３０を含み、前記シリンダー３０の下側のピストンプッシュロッドが加圧ブロック２８と固定的に連結され、加圧ブロック２８の左側にはシリンダー３０の運動を検測する検測器６１が固定的に設置されている。
【００１４】
有益なように、前記伝送機構８０はモーター５４を含み、前記モーター５４が前記主伝動チャンバ４８の後側の内壁の中に固定的に取り付けられ、前記溝車チャンバ５９が前記主伝動チャンバ４８の左側の内壁の中に設置され、前記モーター５４の前側出力軸の前側端面にはモーター軸４９が固定的に連結され、前記モーター軸４９には回し輪５３が固定的に取り付けられ、前記モーター軸４９において前記回し輪５３の前側には駆動傘歯車５１が固定的に取り付けられ、前記伝送チャンバ１０１と前記溝車チャンバ５９との間には溝車軸４７が回転できるように取付けられ、前記溝車軸４７には溝車５２が固定的に取り付けられ、前記回し輪５３が前記溝車５２を間欠的に回転連動させ、前記伝送ローラー２３が前記溝車軸４７に固定的に取り付けられ、前記伝送チャンバ１０１の前後の内壁の間には補助輪軸１０６が回転できるように取り付けられ、前記補助輪軸１０６には補助輪１０５が固定的に取り付けられ、前記補助輪１０５と前記伝送ローラー２３との間には伝送ベルト１０７が伝動できるように取り付けられ、それによりモーター５４を始動し、モーター５４が溝車５２を間欠的に回転連動させ、溝車５２が間欠的に回転して伝送ローラー２３を間欠的に回転連動させ、伝送ローラー２３が間欠的に回転して伝送ベルト１０７を連動させて伝送ベルト１０７における財布を伝送させる。
【００１５】
有益なように、前記ばり取り機構８１は前記主伝動チャンバ４８に設置されたばり取りチャンバ４５を含み、前記ばり取りチャンバ４５の上側には歯車チャンバ４０が設置され、前記主伝動チャンバ４８の頂壁と前記歯車チャンバ４０の底壁との間には第一伝動軸４３が回転できるように取り付けられ、前記第一伝動軸４３の底部の端面には伝動傘歯車５０が固定的に取り付けられ、前記伝動傘歯車５０と前記駆動傘歯車５１とが噛合しており、前記第一伝動軸４３の頂部端面にはプレス駆動歯車４２が固定的に取り付けられ、前記第一伝動軸４３には長柱形歯車４４が固定的に取り付けられ、前記ばり取りチャンバ４５と前記伝送チャンバ１０１との間には回転盤軸２５がスライドできるように取り付けられ、前記回転盤軸２５の頂部端面にはスライド歯車４６が固定的に取り付けられ、前記スライド歯車４６と前記長柱形歯車４４とが噛合しており、前記ばり取りチャンバ４５の下側には送り込みチャンバ１６が設置され、前記回転盤軸２５において前記送り込みチャンバ１６の中には送り込み棒１７が回転できるように取り付けられ、前記第一定位スリーブ２０が前記回転盤軸２５とスライドできるように取り付けられ、スリーブそれにより駆動傘歯車５１が回転して回転盤１９とばりブラシ２１を回転連動させ、送り込み棒１７が回転盤軸２５を下にスライド連動させ、第一定位スリーブ２０が下に財布を定位し、回転盤１９とばりブラシ２１がばりを取り除く。
【００１６】
有益なように、前記プレス機構８２は前記歯車チャンバ４０の右側に設置された離合チャンバ３５を含み、前記歯車チャンバ４０の左右の内壁の間には前記離合チャンバ３５の左側の内壁を貫通した第二伝動軸３９が回転できるように取り付けられ、前記第二伝動軸３９にはプレス伝動歯車４１が固定的に取付けられ、前記プレス伝動歯車４１と前記プレス駆動歯車４２とが噛合しており、前記第一伝動軸４３の右側端面には第一離合３８が固定的に取り付けられ、前記離合チャンバ３５の右側にははずみ車伝動チャンバ５６が設置され、前記離合チャンバ３５の右側の内壁と前記はずみ車伝動チャンバ５６の左側の内壁との間にははずみ車軸３６が回転できるように取り付けられ、前記はずみ車軸３６の左側端面には第二離合３７が固定的に取り付けられ、前記第二離合３７と前記第一離合３８とが噛合でき、前記はずみ車軸３６の右側端面にははずみ車５７が固定的に取り付けられ、前記はずみ車伝動チャンバ５６の前側の内壁には前記はずみ車伝動チャンバ５６と連通し合ったプレス伝動チャンバ２６が設置され、前記はずみ車伝動チャンバ５６の底壁と前記送り込みチャンバ１６とが連通し合っており、前記プレススライド軸３１には撥条位置制限ブロック３２が固定的に取り付けられ、前記撥条位置制限ブロック３２の底部端面と前記プレス伝動チャンバ２６の底壁との間にはスライド軸復帰撥条３３が固定的に取り付けられ、前記鋼製ダイス１３が前記ダイス１２の底部端面に固定的に取り付けられ、前記第二定位スリーブ１０９が前記プレススライド軸３１とスライドできるように取付けられ、前記第二定位スリーブ１０９の中には撥条チャンバ１１が設置され、前記ダイズ１２の頂部端面と前記第二定位スリーブ１０９の頂壁との間には復帰撥条１４が固定的に取り付けられ、前記伝送チャンバ１０１の頂壁には加熱器１５が固定的に取り付けられ、前記プレススライド軸３１にはスライダ溝５５が設置され、前記スライダ溝５５の中にはプレススライダ３４がスライドできるように取り付けられ、前記プレススライダ３４にはプレス連結棒６３がヒンジで取り付けられ、前記プレス連結棒６３と前記はずみ車５７とがヒンジで取り付けられ、前記検測器６１が前記プレス伝動チャンバ２６の頂部端面に固定的に取り付けられ、それによりプレスを行う時、プレス駆動歯車４２が回転してはずみ車５７を回転連動させ、はずみ車５７が回転してダイス１２と鋼製ダイス１３とを上下に運動連動させてプレスを行い、加熱器１５が浮き出し印を加熱し、プレスをより簡単に行い、圧力が足りない時、シリンダー３０を始動し、シリンダー３０が加圧ブロック２８を押してプレススライド軸３１に圧力を与える。
【００１７】
使用する時：モーター５４を始動し、モーター５４が駆動傘歯車５１と回し輪５３を回転連動させ、回し輪５３が溝車５２を間欠的にに回転連動させ、溝車５２が伝送ローラー２３を間欠的に回転連動させて財布を間欠的に伝送連動し、駆動傘歯車５１が長柱形歯車４４とスライド歯車４６とを回転連動させ、スライド歯車５６が回転して回転盤１９とばりブラシ２１を回転連動させてばりを消し、送り込み棒１７が第一定位スリーブ２０を連動させて定位し、且つ回転盤１９とばりブラシ２１とをスライド連動させ、駆動傘歯車５１が第一離合３８と第二離合３７とを回転連動させてはずみ車５７を回転させ、はずみ車５７が回転してプレススライダ３４とプレススライド軸３１とを上下に運動連動させ、プレススライド軸３１が上下に運動して第二定位スリーブ１０９を連動させて財布を定位し、且つダイス１２と鋼製ダイス１３とをプレス連動させ、圧力が足りない時、シリンダー３０を始動し、シリンダー３０が加圧ブロック２８に圧力を与え、検測器６１がシリンダー３０の運動を検測した後、第一離合３８と第二離合とを分離させ、加圧が好調に行うのを保証する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172099.tif 000003
【図２】
2020172099.tif 000004
【図３】
2020172099.tif 000005
【図４】
2020172099.tif 000006
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
財布表面処理設備であって、装置箱体を含み、前記装置箱体の中には伝送チャンバが設置され、前記伝送チャンバの中には財布を伝送できる伝送機構が設置され、前記伝送機構は前記伝送チャンバの中に設置された伝送ローラーを含み、前記伝送チャンバの底壁にはプレスとばり取りを行う作業台が固定的に取り付けられ、前記伝送チャンバの後側には溝車チャンバと主伝動チャンバとが設置され、伝送機構の上側にはばり取り機構が設置され、前記ばり取り機構は回転盤を含み、前記回転盤の底部端面にはばりを消すばりブラシが固定的に取り付けられ、前記回転盤の外側には第一定位スリーブがスライドできるように取り付けられ、前記ばり取り機構の右側にはプレス機構が設置され、前記プレス機構はプレススライド軸とプレス伝動チャンバとを含み、前記プレススライド軸の底部端面にはダイスと鋼製ダイスとが固定的に取り付けられ、ダイスの外側には第二定位スリーブがスライドできるように取り付けられ、前記プレス機構は前記プレス伝動チャンバの頂壁の中に固定的に装着された加圧できるシリンダーを含み、前記シリンダーの下側のピストンプッシュロッドが加圧ブロックと固定的に連結され、加圧ブロックの左側にはシリンダーの運動を検測する検測器が固定的に設置されていることを特徴とする財布表面処理設備。
【請求項２】
前記伝送機構はモーターを含み、前記モーターが前記主伝動チャンバの後側の内壁の中に固定的に取り付けられ、前記溝車チャンバが前記主伝動チャンバの後側の内壁の中に設置され、前記モーターの前側出力軸の前側端面にはモーター軸が固定的に連結され、前記モーター軸には回し輪が固定的に取り付けられ、前記モーター軸において前記回し輪の前側には駆動傘歯車が固定的に取り付けられ、前記伝送チャンバと前記溝車チャンバとの間には溝車軸が回転できるように取付けられ、前記溝車軸には溝車が固定的に取り付けられ、前記回し輪が前記溝車を間欠的に回転連動させ、前記伝送ローラーが前記溝車軸に固定的に取り付けられ、前記伝送チャンバの前後の内壁の間には補助輪軸が回転できるように取り付けられ、前記補助輪軸には補助輪が固定的に取り付けられ、前記補助輪と前記伝送ローラーとの間には伝送ベルトが伝動できるように取り付けられ、それによりモーターを始動し、モーターが溝車を間欠的に回転連動させ、溝車が間欠的に回転して伝送ローラーを間欠的に回転連動させ、伝送ローラーが間欠的に回転して伝送ベルトを連動させて伝送ベルトにおける財布を伝送させることを特徴とする請求項１に記載の財布表面処理設備。
【請求項３】
前記ばり取り機構は前記主伝動チャンバに設置されたばり取りチャンバを含み、前記ばり取りチャンバの上側には歯車チャンバが設置され、前記主伝動チャンバの頂壁と前記歯車チャンバの底壁との間には第一伝動軸が回転できるように取り付けられ、前記第一伝動軸の底部の端面には伝動傘歯車が固定的に取り付けられ、前記伝動傘歯車と前記駆動傘歯車とが噛合しており、前記第一伝動軸の頂部端面にはプレス駆動歯車が固定的に取り付けられ、前記第一伝動軸には長柱形歯車が固定的に取り付けられ、前記ばり取りチャンバと前記伝送チャンバとの間には回転盤軸がスライドできるように取り付けられ、前記回転盤軸の頂部端面にはスライド歯車が固定的に取り付けられ、前記スライド歯車と前記長柱形歯車とが噛合しており、前記ばり取りチャンバの下側には送り込みチャンバが設置され、前記回転盤軸において前記送り込みチャンバの中には送り込み棒が回転できるように取り付けられ、前記第一定位スリーブが前記回転盤軸とスライドできるように取り付けられ、それにより駆動傘歯車が回転して回転盤とばりブラシを回転連動させ、送り込み棒が回転盤軸を下にスライド連動させ、第一定位スリーブが下に財布を定位し、回転盤とばりブラシがばりを取り除くことを特徴とする請求項２に記載の財布表面処理設備。
【請求項４】
前記プレス機構は前記歯車チャンバの右側に設置された離合チャンバを含み、前記歯車チャンバの左右の内壁の間には前記離合チャンバの左側の内壁を貫通した第二伝動軸が回転できるように取り付けられ、前記第二伝動軸にはプレス伝動歯車が固定的に取付けられ、前記プレス伝動歯車と前記プレス駆動歯車とが噛合しており、前記第二伝動軸の右側端面には第一離合が固定的に取り付けられ、前記離合チャンバの右側にははずみ車伝動チャンバが設置され、前記離合チャンバの右側の内壁と前記はずみ車伝動チャンバの左側の内壁との間にははずみ車軸が回転できるように取り付けられ、前記はずみ車軸の左側端面には第二離合が固定的に取り付けられ、前記第二離合と前記第一離合とが噛合でき、前記はずみ車軸の右側端面にははずみ車が固定的に取り付けられ、前記はずみ車伝動チャンバの前側の内壁には前記はずみ車伝動チャンバと連通し合ったプレス伝動チャンバが設置され、前記はずみ車伝動チャンバの底壁と前記送り込みチャンバとが連通し合っており、前記プレススライド軸には撥条位置制限ブロックが固定的に取り付けられ、前記撥条位置制限ブロックの底部端面と前記プレス伝動チャンバの底壁との間にはスライド軸復帰撥条が固定的に取り付けられ、前記鋼製ダイスが前記ダイスの底部端面に固定的に取り付けられ、前記第二定位スリーブが前記プレススライド軸とスライドできるように取付けられ、前記第二定位スリーブの中には撥条チャンバが設置され、前記ダイスの頂部端面と前記第二定位スリーブの頂壁との間には復帰撥条が固定的に取り付けられ、前記伝送チャンバの頂壁には加熱器が固定的に取り付けられ、前記プレススライド軸にはスライダ溝が設置され、前記スライダ溝の中にはプレススライダがスライドできるように取り付けられ、前記プレススライダにはプレス連結棒がヒンジで取り付けられ、前記プレス連結棒と前記はずみ車とがヒンジで取り付けられ、前記検測器が前記プレス伝動チャンバの頂部端面に固定的に取り付けられ、それによりプレスを行う時、プレス駆動歯車が回転してはずみ車を回転連動させ、はずみ車が回転してダイスと鋼製ダイスとを上下に運動連動させてプレスを行い、加熱器が浮き出し印を加熱し、プレスをより簡単に行い、圧力が足りない時、シリンダーを始動し、シリンダーが加圧ブロックを押してプレススライド軸に圧力を与えることを特徴とする請求項３に記載の財布表面処理設備
【手続補正２】
【補正対象書類名】明細書
【補正対象項目名】全文
【補正方法】変更
【補正の内容】
【発明の詳細な説明】
【技術分野】
【０００１】
本発明は日常用品の分野を取り上げて、具体的には財布表面処理設備である。
【背景技術】
【０００２】
現在、財布は生活の一部になり、携帯式の物品として、財布は一般的にバンクカード又は現金などの物品を置き、財布はまた飾り物として使え、たくさんの財布には飾り用の図柄が印刷され、この飾りの図柄は印刷する時浮き出し印を使って手動で押し、そのプレス効果が悪く、制作効率が低く、財布の表面がプレス後毛が生じ、この毛は財布の外観には直接な影響があり、財布の手応えにも一定な影響があり、そのため財布の飾り図柄の効果がより良く、制作効率もより高い設備が需要であり、それに押した後財布の表面の毛を消し、財布の使用感覚を良化させる。
【先行技術文献】
【特許文献】
【０００３】
【特許文献１】中国特許出願公開第108001053号明細書
【発明の概要】
【発明が解決しようとする課題】
【０００４】
本発明の目的は財布表面処理設備を提供し、現有の技術の上記欠点を克服できる。
【課題を解決するための手段】
【０００５】
本発明の財布表面処理設備は、装置箱体を含み、前記装置箱体の中には伝送チャンバが設置され、前記伝送チャンバの中には財布を伝送できる伝送機構が設置され、前記伝送機構は前記伝送チャンバの中に設置された伝送ローラーを含み、前記伝送チャンバの底壁にはプレスとばり取りを行う作業台が固定的に取り付けられ、前記伝送チャンバの後側には溝車チャンバと主伝動チャンバとが設置され、伝送機構の上側にはばり取り機構が設置され、前記ばり取り機構は回転盤を含み、前記回転盤の底部端面にはばりを消すばりブラシが固定的に取り付けられ、前記回転盤の外側には第一定位スリーブがスライドできるように取り付けられ、前記ばり取り機構の右側にはプレス機構が設置され、前記プレス機構はプレススライド軸とプレス伝動チャンバとを含み、前記プレススライド軸の底部端面にはダイスと鋼製ダイスとが固定的に取り付けられ、ダイスの外側には第二定位スリーブがスライドできるように取り付けられ、前記プレス機構は前記プレス伝動チャンバの頂壁の中に固定的に装着された加圧できるシリンダーを含み、前記シリンダーの下側のピストンプッシュロッドが加圧ブロックと固定的に連結され、加圧ブロックの左側にはシリンダーの運動を検測する検測器が固定的に設置されている。
【０００６】
更なる技術方案、前記伝送機構はモーターを含み、前記モーターが前記主伝動チャンバの後側の内壁の中に固定的に取り付けられ、前記溝車チャンバが前記主伝動チャンバの後側の内壁の中に設置され、前記モーターの前側出力軸の前側端面にはモーター軸が固定的に連結され、前記モーター軸には回し輪が固定的に取り付けられ、前記モーター軸において前記回し輪の前側には駆動傘歯車が固定的に取り付けられ、前記伝送チャンバと前記溝車チャンバとの間には溝車軸が回転できるように取付けられ、前記溝車軸には溝車が固定的に取り付けられ、前記回し輪が前記溝車を間欠的に回転連動させ、前記伝送ローラーが前記溝車軸に固定的に取り付けられ、前記伝送チャンバの前後の内壁の間には補助輪軸が回転できるように取り付けられ、前記補助輪軸には補助輪が固定的に取り付けられ、前記補助輪と前記伝送ローラーとの間には伝送ベルトが伝動できるように取り付けられている。
【０００７】
更なる技術方案、前記ばり取り機構は前記主伝動チャンバに設置されたばり取りチャンバを含み、前記ばり取りチャンバの上側には歯車チャンバが設置され、前記主伝動チャンバの頂壁と前記歯車チャンバの底壁との間には第一伝動軸が回転できるように取り付けられ、前記第一伝動軸の底部の端面には伝動傘歯車が固定的に取り付けられ、前記伝動傘歯車と前記駆動傘歯車とが噛合しており、前記第一伝動軸の頂部端面にはプレス駆動歯車が固定的に取り付けられ、前記第一伝動軸には長柱形歯車が固定的に取り付けられ、前記ばり取りチャンバと前記伝送チャンバとの間には回転盤軸がスライドできるように取り付けられ、前記回転盤軸の頂部端面にはスライド歯車が固定的に取り付けられ、前記スライド歯車と前記長柱形歯車とが噛合しており、前記ばり取りチャンバの下側には送り込みチャンバが設置され、前記回転盤軸において前記送り込みチャンバの中には送り込み棒が回転できるように取り付けられ、前記第一定位スリーブが前記回転盤軸とスライドできるように取り付けられている。
【０００８】
更なる技術方案、前記プレス機構は前記歯車チャンバの右側に設置された離合チャンバを含み、前記歯車チャンバの左右の内壁の間には前記離合チャンバの左側の内壁を貫通した第二伝動軸が回転できるように取り付けられ、前記第二伝動軸にはプレス伝動歯車が固定的に取付けられ、前記プレス伝動歯車と前記プレス駆動歯車とが噛合しており、前記第一伝動軸の右側端面には第一離合が固定的に取り付けられ、前記離合チャンバの右側にははずみ車伝動チャンバが設置され、前記離合チャンバの右側の内壁と前記はずみ車伝動チャンバの左側の内壁との間にははずみ車軸が回転できるように取り付けられ、前記はずみ車軸の左側端面には第二離合が固定的に取り付けられ、前記第二離合と前記第一離合とが噛合でき、前記はずみ車軸の右側端面にははずみ車が固定的に取り付けられ、前記はずみ車伝動チャンバの前側の内壁には前記はずみ車伝動チャンバと連通し合ったプレス伝動チャンバが設置され、前記はずみ車伝動チャンバの底壁と前記送り込みチャンバとが連通し合っており、前記プレススライド軸には撥条位置制限ブロックが固定的に取り付けられ、前記撥条位置制限ブロックの底部端面と前記プレス伝動チャンバの底壁との間にはスライド軸復帰撥条が固定的に取り付けられ、前記鋼製ダイスが前記ダイスの底部端面に固定的に取り付けられ、前記第二定位スリーブが前記プレススライド軸とスライドできるように取付けられ、前記第二定位スリーブの中には撥条チャンバが設置され、前記ダイスの頂部端面と前記第二定位スリーブの頂壁との間には復帰撥条が固定的に取り付けられ、前記伝送チャンバの頂壁には加熱器が固定的に取り付けられ、前記プレススライド軸にはスライダ溝が設置され、前記スライダ溝の中にはプレススライダがスライドできるように取り付けられ、前記プレススライダにはプレス連結棒がヒンジで取り付けられ、前記プレス連結棒と前記はずみ車とがヒンジで取り付けられ、前記検測器が前記プレス伝動チャンバの頂部端面に固定的に取り付けられている。
【発明の効果】
【０００９】
本発明の有益な効果は下記の通りである：
【００１０】
財布を作動区間に送り込んで加工し、ばり取り機構によってプレスされた財布に生じたばりを消し、プレス機構によって財布の図柄を押し、異なった材料に対応でき、浮き出し印を加熱し、押す効果を保証し、押す効果を高め、財布の使用感と美観の程度を上げ、普及する価値がある。
【図面の簡単な説明】
【００１１】
【図１】図１は本発明の全体構造模式図
【図２】図２は図１のＡ−Ａの方向の断面構造模式図
【図３】図３は図１のＢ−Ｂの方向の断面構造模式図
【図４】図４は図２のＣ−Ｃの方向の断面構造模式図
【発明を実施するための形態】
【００１２】
以下は図１−４について本発明を詳しく説明し、その中、便利に叙述するように、後文に出る方位を下記の通りに規定する：後文に出る上下左右前後方向は図１本体の投影関係の上下左右前後方向と一致する。
【００１３】
図１−４を参考して、本発明の財布表面処理設備は、装置箱体１００を含み、前記装置箱体１００の中には伝送チャンバ１０１が設置され、前記伝送チャンバ１０１の中には財布を伝送できる伝送機構８０が設置され、前記伝送機構８０は前記伝送チャンバ１０１の中に設置された伝送ローラー２３を含み、前記伝送チャンバ１０１の底壁にはプレスとばり取りを行う作業台１０３が固定的に取り付けられ、前記伝送チャンバ１０１の後側には溝車チャンバ５９と主伝動チャンバ４８とが設置され、伝送機構８０の上側にはばり取り機構８１が設置され、前記ばり取り機構８１は回転盤１９を含み、前記回転盤１９の底部端面にはばりを消すばりブラシ２１が固定的に取り付けられ、前記回転盤１９の外側には第一定位スリーブ２０がスライドできるように取り付けられ、前記ばり取り機構８１の右側にはプレス機構８２が設置され、前記プレス機構８２はプレススライド軸３１とプレス伝動チャンバ２６とを含み、前記プレススライド軸３１の底部端面にはダイス１２と鋼製ダイス１３とが固定的に取り付けられ、ダイス１２の外側には第二定位スリーブ１０９がスライドできるように取り付けられ、前記プレス機構８２は前記プレス伝動チャンバ２６の頂壁の中に固定的に装着された加圧できるシリンダー３０を含み、前記シリンダー３０の下側のピストンプッシュロッドが加圧ブロック２８と固定的に連結され、加圧ブロック２８の左側にはシリンダー３０の運動を検測する検測器６１が固定的に設置されている。
【００１４】
有益なように、前記伝送機構８０はモーター５４を含み、前記モーター５４が前記主伝動チャンバ４８の後側の内壁の中に固定的に取り付けられ、前記溝車チャンバ５９が前記主伝動チャンバ４８の後側の内壁の中に設置され、前記モーター５４の前側出力軸の前側端面にはモーター軸４９が固定的に連結され、前記モーター軸４９には回し輪５３が固定的に取り付けられ、前記モーター軸４９において前記回し輪５３の前側には駆動傘歯車５１が固定的に取り付けられ、前記伝送チャンバ１０１と前記溝車チャンバ５９との間には溝車軸４７が回転できるように取付けられ、前記溝車軸４７には溝車５２が固定的に取り付けられ、前記回し輪５３が前記溝車５２を間欠的に回転連動させ、前記伝送ローラー２３が前記溝車軸４７に固定的に取り付けられ、前記伝送チャンバ１０１の前後の内壁の間には補助輪軸１０６が回転できるように取り付けられ、前記補助輪軸１０６には補助輪１０５が固定的に取り付けられ、前記補助輪１０５と前記伝送ローラー２３との間には伝送ベルト１０７が伝動できるように取り付けられ、それによりモーター５４を始動し、モーター５４が溝車５２を間欠的に回転連動させ、溝車５２が間欠的に回転して伝送ローラー２３を間欠的に回転連動させ、伝送ローラー２３が間欠的に回転して伝送ベルト１０７を連動させて伝送ベルト１０７における財布を伝送させる。
【００１５】
有益なように、前記ばり取り機構８１は前記主伝動チャンバ４８に設置されたばり取りチャンバ４５を含み、前記ばり取りチャンバ４５の上側には歯車チャンバ４０が設置され、前記主伝動チャンバ４８の頂壁と前記歯車チャンバ４０の底壁との間には第一伝動軸４３が回転できるように取り付けられ、前記第一伝動軸４３の底部の端面には伝動傘歯車５０が固定的に取り付けられ、前記伝動傘歯車５０と前記駆動傘歯車５１とが噛合しており、前記第一伝動軸４３の頂部端面にはプレス駆動歯車４２が固定的に取り付けられ、前記第一伝動軸４３には長柱形歯車４４が固定的に取り付けられ、前記ばり取りチャンバ４５と前記伝送チャンバ１０１との間には回転盤軸２５がスライドできるように取り付けられ、前記回転盤軸２５の頂部端面にはスライド歯車４６が固定的に取り付けられ、前記スライド歯車４６と前記長柱形歯車４４とが噛合しており、前記ばり取りチャンバ４５の下側には送り込みチャンバ１６が設置され、前記回転盤軸２５において前記送り込みチャンバ１６の中には送り込み棒１７が回転できるように取り付けられ、前記第一定位スリーブ２０が前記回転盤軸２５とスライドできるように取り付けられ、スリーブそれにより駆動傘歯車５１が回転して回転盤１９とばりブラシ２１を回転連動させ、送り込み棒１７が回転盤軸２５を下にスライド連動させ、第一定位スリーブ２０が下に財布を定位し、回転盤１９とばりブラシ２１がばりを取り除く。
【００１６】
有益なように、前記プレス機構８２は前記歯車チャンバ４０の右側に設置された離合チャンバ３５を含み、前記歯車チャンバ４０の左右の内壁の間には前記離合チャンバ３５の左側の内壁を貫通した第二伝動軸３９が回転できるように取り付けられ、前記第二伝動軸３９にはプレス伝動歯車４１が固定的に取付けられ、前記プレス伝動歯車４１と前記プレス駆動歯車４２とが噛合しており、前記第一伝動軸４３の右側端面には第一離合３８が固定的に取り付けられ、前記離合チャンバ３５の右側にははずみ車伝動チャンバ５６が設置され、前記離合チャンバ３５の右側の内壁と前記はずみ車伝動チャンバ５６の左側の内壁との間にははずみ車軸３６が回転できるように取り付けられ、前記はずみ車軸３６の左側端面には第二離合３７が固定的に取り付けられ、前記第二離合３７と前記第一離合３８とが噛合でき、前記はずみ車軸３６の右側端面にははずみ車５７が固定的に取り付けられ、前記はずみ車伝動チャンバ５６の前側の内壁には前記はずみ車伝動チャンバ５６と連通し合ったプレス伝動チャンバ２６が設置され、前記はずみ車伝動チャンバ５６の底壁と前記送り込みチャンバ１６とが連通し合っており、前記プレススライド軸３１には撥条位置制限ブロック３２が固定的に取り付けられ、前記撥条位置制限ブロック３２の底部端面と前記プレス伝動チャンバ２６の底壁との間にはスライド軸復帰撥条３３が固定的に取り付けられ、前記鋼製ダイス１３が前記ダイス１２の底部端面に固定的に取り付けられ、前記第二定位スリーブ１０９が前記プレススライド軸３１とスライドできるように取付けられ、前記第二定位スリーブ１０９の中には撥条チャンバ１１が設置され、前記ダイス１２の頂部端面と前記第二定位スリーブ１０９の頂壁との間には復帰撥条１４が固定的に取り付けら
れ、前記伝送チャンバ１０１の頂壁には加熱器１５が固定的に取り付けられ、前記プレススライド軸３１にはスライダ溝５５が設置され、前記スライダ溝５５の中にはプレススライダ３４がスライドできるように取り付けられ、前記プレススライダ３４にはプレス連結棒６３がヒンジで取り付けられ、前記プレス連結棒６３と前記はずみ車５７とがヒンジで取り付けられ、前記検測器６１が前記プレス伝動チャンバ２６の頂部端面に固定的に取り付けられ、それによりプレスを行う時、プレス駆動歯車４２が回転してはずみ車５７を回転連動させ、はずみ車５７が回転してダイス１２と鋼製ダイス１３とを上下に運動連動させてプレスを行い、加熱器１５が浮き出し印を加熱し、プレスをより簡単に行い、圧力が足りない時、シリンダー３０を始動し、シリンダー３０が加圧ブロック２８を押してプレススライド軸３１に圧力を与える。
【００１７】
使用する時：モーター５４を始動し、モーター５４が駆動傘歯車５１と回し輪５３を回転連動させ、回し輪５３が溝車５２を間欠的に回転連動させ、溝車５２が伝送ローラー２３を間欠的に回転連動させて財布を間欠的に伝送連動し、駆動傘歯車５１が長柱形歯車４４とスライド歯車４６とを回転連動させ、スライド歯車４６が回転して回転盤１９とばりブラシ２１を回転連動させてばりを消し、送り込み棒１７が第一定位スリーブ２０を連動させて定位し、且つ回転盤１９とばりブラシ２１とをスライド連動させ、駆動傘歯車５１が第一離合３８と第二離合３７とを回転連動させてはずみ車５７を回転させ、はずみ車５７が回転してプレススライダ３４とプレススライド軸３１とを上下に運動連動させ、プレススライド軸３１が上下に運動して第二定位スリーブ１０９を連動させて財布を定位し、且つダイス１２と鋼製ダイス１３とをプレス連動させ、圧力が足りない時、シリンダー３０を始動し、シリンダー３０が加圧ブロック２８に圧力を与え、検測器６１がシリンダー３０の運動を検測した後、第一離合３８と第二離合とを分離させ、加圧が好調に行うのを
保証する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正３】
【補正対象書類名】図面
【補正対象項目名】図１
【補正方法】変更
【補正の内容】
【図１】
2020172099.tif 000007